(57)【要約】【課題】使用者が事前に著作権データの入力、保持操作を行うことなく画像データに著作権データを埋め込むことが可能な電子カメラ付き携帯電話機を提供する。【解決手段】撮像部１０−１で撮影した被写体の画像信号は、信号処理・画像データ記憶部１０−２において信号処理が施されて画像データとされ、記憶される。認証情報記憶部１０−５には、正式契約か否かの携帯電話機の認証を行うための認証情報が記憶されている。電子透かしデータ挿入部１０−３は、認証情報記憶部１０−５から契約者認証情報を読み出し、画像データに電子透かしデータ（認証情報）を埋め込む。電子透かし挿入画像データは送受信部１０−４からネットワークに送信される。【選択図】図３
2004072316.tif 000002
【特許請求の範囲】
【請求項１】
電子カメラ部と電子カメラ部で撮影した被写体の画像データをネットワークに送信する機能を有する送信部から構成される電子カメラ付き携帯電話機において、
携帯電話機の契約者の認証情報を記憶する記憶部を備え、
電子カメラ部は、撮影した被写体の画像データを生成する画像データ生成部と、記憶部から契約者の認証情報を取り出し、画像データに電子透かしとして埋め込む電子透かしデータ挿入部を備えたことを特徴とする電子カメラ付き携帯電話機。
【発明の詳細な説明】
【０００１】
【発明の属する技術分野】
本発明は、電子カメラ付き携帯電話の電子カメラで撮影した被写体の画像データに著作権保護、改竄防止のために透かし情報を埋め込む電子透かし技術に関する。
【０００２】
【従来の技術】
携帯電話機に接続した電子カメラあるいは携帯電話機に内蔵した電子カメラで撮影した被写体の画像データを携帯電話機からインターネットを利用して電子メール、電子掲示板等を介してユーザに送信することが行われている。
従来の携帯電話機を用いた画像送信システムの概要構成を図１に示す。
画像送信システムは、電子カメラ付き携帯電話機１、電子カメラ３を接続した携帯電話機２、パソコン端末５、サーバ４等をネットワーク６を介して接続することにより構成する。
ネットワーク６は、携帯電話網、公衆電話網、インターネット等を含み、携帯電話網は基地局、交換機、中継交換機を有する。また、サーバ４は、電子メール、電子掲示板等のサーバである。
携帯電話機１，２は、マイク、スピーカ、音声処理装置、入力部、表示器、送信・受信部、データ処理装置、およびこれらを制御する制御部等から構成され、電話機の機能と電子メール、電子掲示板等のサービス機能を有する。
【０００３】
電子カメラ付き携帯電話機１あるいは電子カメラ３が接続された携帯電話機２からパソコン端末５に電子メールを送信する場合について説明する。
電子カメラ付き携帯電話機１あるいは携帯電話機２から電子メールに添付された画像データはネットワーク６、サーバ４を介してパソコン端末５に送信される。
携帯電話機１，２から電子メールを送信する際には、まず、携帯電話機の認証処理が行われる。各携帯電話機は、それぞれ重複しないように割り当てられた電話番号の外に、製造番号や暗証番号等の認証情報を記憶部に保持しておき、この認証情報を用いて通信開始時に正式契約の携帯電話機か否かの認証処理が行われる。このようなシステムにおいては、携帯電話機の製造番号や暗証番号等の認証情報（契約者（使用者）、銀行の口座番号等の情報）を携帯電話網の交換局側に登録し、通信開始時に、携帯電話機から自動的に認証情報記憶部に保持されている製造番号や暗証番号等の認証情報を読み出して送信する。交換局側では、携帯電話機からの製造番号や暗証番号等の認証情報と登録（契約）されている製造番号や暗証番号等の認証情報とを照合し、照合が一致している場合には正式契約の携帯電話機として通信を開始させる。
次に携帯電話機の利用者は、電子カメラで撮影した電子メールに画像データを画像ファイルとして添付し、サービスセンタのサーバ４（電子メールサーバ）に送信する。電子メールは、例えばサーバのメールアドレスに宛てて送信され、最終的な送信先である受信先（パソコン端末５）のメールアドレス、携帯電話機のアドレス、送信元の氏名（契約者）等が含まれている。
電子メールサービスの開始時には、サービスセンタにおいてＩＤとパスワードを用いてサービスの利用者の認証を行い、認証処理が終了した後、サービスが開始される。
【０００４】
図２（Ａ）を参照して従来の電子カメラ付き携帯電話機の構成を説明する。
撮像部１−１で撮影された被写体の画像信号は、信号処理・画像データ記憶部１−２において、通常の信号処理、圧縮、補正処理等が施されて画像データが生成され記憶部に保持される。この画像データは電話機部の送受信部１−３を介してネットワークに送信される。送信開始時には、前述したように携帯電話機の記憶部１−４に保持されている認証情報が用いられる。
図２（Ｂ）を参照して従来の著作権データ埋め込み機能を有する電子カメラと携帯電話機の構成を説明する。
撮像部３−１で撮影された被写体の画像信号は、信号処理・画像データ記憶部３−２において通常の信号処理、圧縮、補正処理等が施されて画像データが生成され記憶部に保持される。画像データには著作権データ記憶部３−４に保持されている著作権データが電子透かしデータ挿入部３−３において埋め込まれる。電子透かし挿入画像データは携帯電話機２に送信され、ネットワーク６に出力される。
著作権データ記憶部３−４には、著作権データ（すなわち、著作権者名（撮影者名）、電子カメラ識別データ（製造番号等）等）が予め入力されて保持される。また、著作権データは公的機関等に登録して管理される。
【０００５】
【発明が解決しようとする課題】
図２（Ａ）に示された従来の携帯電話機に内蔵された電子カメラで撮影した画像データには著作権データ等の情報を埋め込むことは行われていない。従って、電子データである画像データはコピー、改竄が容易であるために著作権者の許可なく使用、改竄されたり、販売されたりする可能性があり、著作権を保護することは困難である。
図２（Ｂ）に示された従来の電子カメラにおいて画像データに著作権データを電子透かしとして埋め込むものは、電子カメラに著作権データを入力し、保持する操作が必要であり、著作権データを登録して管理する機関が必要となる。
携帯電話機に内蔵された電子カメラはその使用を悟られることなく撮影することが容易であるため盗撮が行われ、不法に画像データが送信される恐れがあり、そのための防止策が望まれている。
【０００６】
【課題を解決するための手段】
上記課題を解決するために、本発明は、電子透かしデータ（著作権データ）として携帯電話機に予め記憶されている契約者の認証情報を用いることにより、携帯電話機の利用者（契約者）が特別な著作権データを埋め込むために必要な操作を行うことなく画像データに著作権データを埋め込むことが可能となる。
【０００７】
【発明の実施の形態】
図３に、本発明の電子カメラ付き携帯電話機の構成例を示す。
撮像部１０−１で撮影した被写体の画像信号は、信号処理・画像データ記憶部１０−２において信号処理が施されて画像データとされ、記憶部に保持される。電子透かしデータ挿入部１０−３は、携帯電話機の認証情報記憶部１０−５から携帯電話機の契約者認証情報を読み出し、画像データに電子透かしデータ（認証情報）を埋め込む。電子透かし挿入画像データは送受信部１０−４からネットワーク６に送信される。
【０００８】
本発明は、携帯電話機に保持されている契約者認証情報を著作権データとして用いることにより新たな著作権データの入力操作とこれを保持する記憶部を不要とし、画像データに著作権データを埋め込むことが可能となる。また、携帯電話機の契約者認証情報に対する個人情報（契約者名等）は携帯電話機の購入時に交換機側に登録、保持されており、これを読み出すことにより著作権者（撮影者）を特定することができる。
さらに、電子カメラ付き携帯電話機は、その使用を悟られることなく撮影が容易であることから盗撮等に悪用される可能性はあるが、著作権データを画像データに埋め込むための事前の操作は行わなくてすむため、撮影者（使用者）に知られずに携帯電話機の契約者認証情報を画像データに埋め込むことが可能となり、盗撮等の防止効果が期待できる。
【０００９】
【発明の効果】
以上説明したように、本発明は、電子カメラ付き携帯電話機で撮影した画像データに埋め込む著作権データとして予め保持している携帯電話機の契約者認証情報を用いることにより、著作権データの入力、保持等の事前の操作が不要であり、また著作権データを保持する記憶部を不要とすることで小型化を図ることができる。
【図面の簡単な説明】
【図１】携帯電話機を用いた画像データ送信システムの概要構成図。
【図２】従来の電子カメラ付き携帯電話機の構成図（Ａ）と著作権データ埋め込み機能を備えた電子カメラと携帯電話機の構成図（Ｂ）。
【図３】本発明の電子カメラ付き携帯電話機の構成図。
【符号の説明】
１，１０・・・電子カメラ付き携帯電話機、２・・・携帯電話機、３・・・電子カメラ、４・・・サーバ、５・・・パソコン端末、６・・・ネットワーク
１０−１・・・撮像部、１０−２・・・信号処理・画像データ記憶部、１０−３・・・電子透かしデータ挿入部、１０−４・・・送受信部、１０−５・・・認証情報記憶部
【図１】
2004072316.tif 000003
【図２】
2004072316.tif 000004
【図３】
2004072316.tif 000005